(57)【要約】      （修正有）【課題】情報の入力に係る装置のみでは、入力に必要な情報を取得できず、セキュリティ性を高めることができるシステムを提供する。【解決手段】入力処理システムは、情報処理装置１と、リスト端末２からなる。リスト端末２は、入力処理用の情報と、当該入力処理用の情報の識別情報とを対応付けて記憶する問い合わせ情報記憶部１１１と、情報処理装置から識別情報を受信し、受信した識別情報に対応付けて記憶されている入力処理用の情報を情報処理装置１に送信する通信部２０−２と、を備える。情報処理装置１は、入力処理用の情報の識別情報を記憶する入力処理情報記憶部７１と、情報記憶装置に、識別情報を送信し、送信された入力処理用の情報を受信する通信部２０−１と、を備える。【選択図】図３
2015060556.tif 000002
【特許請求の範囲】
【請求項１】
情報記憶装置と情報処理装置からなる入力処理システムであって、
前記情報記憶装置は、
入力処理用の情報と、当該入力処理用の情報の識別情報とを対応付けて記憶する入力情報記憶手段と、
前記情報処理装置から前記識別情報を受信する識別情報受信手段と、
前記識別情報受信手段により受信した識別情報に対応付けて記憶されている入力処理用の情報を前記情報処理装置に送信する情報送信手段と、
を備え、
前記情報処理装置は、
前記入力処理用の情報の識別情報を記憶する識別情報記憶手段と、
前記情報記憶装置に、前記識別情報を送信する識別情報送信手段と、
前記情報送信手段によって送信された前記入力処理用の情報を受信する情報受信手段と
を備える入力処理システム。
【請求項２】
前記情報記憶装置は、
前記入力処理用の情報を送信する情報処理装置がペアリングされているか否かを判断する判断手段を更に備え、
前記情報送信手段は、前記判断手段によってペアリングされていると判断された場合に、前記入力処理用の情報を送信する請求項１に記載の入力処理システム。
【請求項３】
前記情報処理装置は、
前記情報受信手段によって受信した前記入力処理用の情報に基づいて、入力処理を実行する入力手段を更に備える請求項１又は２に記載の入力処理システム。
【請求項４】
入力処理用の情報と、当該入力処理用の情報の識別情報とを対応付けて記憶する入力情報記憶手段と、
外部装置から前記識別情報を受信する識別情報受信手段と、
前記識別情報受信手段により受信した識別情報に対応付けて記憶されている入力処理用の情報を前記外部装置に送信する情報送信手段と、
を備えた情報記憶装置。
【請求項５】
外部装置に記憶されている入力処理用の情報を識別するための識別情報を記憶する識別符号記憶手段と、
前記外部装置に、前記識別情報を送信する識別情報送信手段と、
前記外部装置から送信された前記入力処理用の情報を受信する情報受信手段と、
を備えた情報処理装置。
【請求項６】
入力処理用の情報と、当該入力処理用の情報の識別情報とを対応付けて記憶する入力情報記憶手段と、を備えた情報記憶装置と、前記入力処理用の情報の識別情報を記憶する識別情報記憶手段を備えた情報処理装置と、によって実行される入力方法であって、
前記情報処理装置が、前記情報記憶装置に前記識別情報を送信するステップと、
前記情報記憶装置が、送信された識別情報に対応する前記入力処理用の情報を前記情報処理装置に出力するステップと、
を含む入力方法。
【発明の詳細な説明】
【技術分野】
【０００１】
本発明は、入力処理システム、情報記憶装置、情報処理装置、及び入力方法に関する。
【背景技術】
【０００２】
従来より、ｗｅｂサイトのサービスへのログイン時のログイン情報やフォームフィールドへの入力情報の入力に際して、一度入力した情報を記憶しておき、再入力時に自動的に入力を行う機能を有するソフトウェアがある。このようなソフトウェアでは、入力先の情報に対応付けて入力する情報を一元的に管理して記憶している。しかし、このようなソフトウェアでは、入力先の情報と、入力先の情報に対応付けて入力する情報とを、ソフトウェアがインストールされている装置に記憶しているために、管理している情報にアクセスされた場合には、入力する情報がどこで利用する情報であるかを盗まれる虞があった。
このような問題に対して、特許文献１の技術では、パスワード等の入力情報を、近距離通信を行う外部機器に記憶させておき、利用毎に外部機器からパスワード等の入力情報を取得する。
【先行技術文献】
【特許文献】
【０００３】
【特許文献１】特開２００４−１５０７７号公報
【発明の概要】
【発明が解決しようとする課題】
【０００４】
しかしながら、特許文献１に記載の技術では、パスワードが携帯通信端末と個人情報送信機の双方に記憶されており、何れか一方の機器を解析されると、パスワード等の情報が特定されてしまうという虞があった。
【０００５】
本発明は、このような状況に鑑みてなされたものであり、情報の入力に係る装置のみでは、入力に必要な情報を取得できず、セキュリティ性の高い入力処理システム、情報記憶装置、情報処理装置、及び入力方法を提供することを目的とする。
【課題を解決するための手段】
【０００６】
上記目的を達成するため、本発明の一態様の入力処理システムは、
情報記憶装置と情報処理装置からなる入力処理システムであって、
前記情報記憶装置は、
入力処理用の情報と、当該入力処理用の情報の識別情報とを対応付けて記憶する入力情報記憶手段と、
前記情報処理装置から前記識別情報を受信する識別情報受信手段と、
前記識別情報受信手段により受信した識別情報に対応付けて記憶されている入力処理用の情報を前記情報処理装置に送信する情報送信手段と、
を備え、
前記情報処理装置は、
前記入力処理用の情報の識別情報を記憶する識別符号記憶手段と、
前記情報記憶装置に、前記識別情報を送信する識別情報送信手段と、
前記情報送信手段によって送信された前記入力処理用の情報を受信する情報受信手段と、を備える。
【発明の効果】
【０００７】
本発明によれば、情報の入力に係る装置のみでは、入力に必要な情報を取得できず、セキュリティ性を高めることができる。
【図面の簡単な説明】
【０００８】
【図１】入力システムのシステム構成を示すシステム構成図である。
【図２】本発明の一実施形態に係る情報処理装置のハードウェアの構成を示すブロック図である。
【図３】図１の情報処理装置及びリスト端末の機能的構成のうち、入力処理を実行するための機能的構成を示す機能ブロック図である。
【図４】入力システムで用いられる情報を説明するための図である。
【図５】図３の機能的構成を有する図２の情報処理装置が実行する入力処理の流れを説明するフローチャートである。
【図６】図３の機能的構成を有する図２のリスト端末が実行する入力処理の流れを説明するフローチャートである。
【発明を実施するための形態】
【０００９】
以下、本発明の実施形態について、図面を用いて説明する。
【００１０】
図１は、入力システムのシステム構成を示すシステム構成図である。
入力システムＳは、図１に示すように、情報処理装置１と、リスト端末２と、を備える。
情報処理装置１は、ｗｅｂサイトを閲覧、ファイルの編集等を可能に構成される。
また、リスト端末２は、例えば、ＮＦＣ（Ｎｅａｒ  Ｆｉｅｌｄ  Ｃｏｍｍｕｎｉｃａｔｉｏｎ）、Ｂｌｕｅｔｏｏｔｈ（ブルートゥース）（登録商標）等の近距離無線通信規格で情報処理装置１とペアリングしており、情報処理装置１との間でデータのやり取りが可能に構成される。
このように構成される入力システムでは、情報処理装置１において、ｗｅｂサイトを閲覧、ファイルの編集等を行う場合に、登録した情報に関しては自動的に情報を入力する機能を有する。自動的に入力される情報（以下、「入力情報」という。）は、情報処理装置１本体やリスト端末２等の外部機器に記憶されている。入力情報がリスト端末２等の外部機器に記憶されている場合には、例えば、ｗｅｂサイトを閲覧に必要な情報やファイルの編集に必要な情報は、対象ｗｅｂサイトや対象ファイルの情報と共に記憶されておらず、入力を行う実際の生のデータを記憶されている。このため、リスト端末２から入力情報を盗み取られた場合であっても、入力情報単体では一意に利用を特定できないために、例えば、特定のｗｅｂサイトにログインするために必要なＩＤやパスワード等を記憶させた場合には、入力システムＳのセキュリティを高めることができる。
【００１１】
図２は、本発明の一実施形態に係る情報処理装置１のハードウェアの構成を示すブロック図である。
情報処理装置１は、例えばスマートフォン等の携帯端末として構成される。
【００１２】
情報処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１３】
ＣＰＵ１１は、ＲＯＭ１２に記録されているプログラム、又は、記憶部１９からＲＡＭ１３にロードされたプログラムに従って各種の処理を実行する。
【００１４】
ＲＡＭ１３には、ＣＰＵ１１が各種の処理を実行する上において必要なデータ等も適宜記憶される。
【００１５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１６】
撮像部１６は、図示はしないが、光学レンズ部と、イメージセンサと、を備えている。
【００１７】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１８】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１９】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００２０】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２１】
リスト端末２は、例えば時計装置として構成される。上述した情報処理装置１の撮像部１６と、リムーバブルメディア３１を含むドライブ２１の構成を除いた構成であるため同様の構成の説明は省略する。
なお、以下において、情報処理装置１とリスト端末２のハードウェア構成を言い分ける場合には、符号の後に、情報処理装置１は「−１」を付し、リスト端末２は「−２」を付して説明を行うものとする。
【００２２】
図３は、このような図１の情報処理装置１及びリスト端末２の機能的構成のうち、入力処理を実行するための機能的構成を示す機能ブロック図である。
入力処理とは、情報処理装置１がｗｅｂサイトにアクセスした場合に、ｗｅｂサイトの閲覧等に必要な情報をリスト端末２から取得して自動的に入力するまでの処理をいう。なお、以下において、情報処理装置１とリスト端末２間での情報のやり取りは、機器認証を行った上で、暗号化した情報を出力し、取得した側は暗号化した情報を復号化することで行われる。
【００２３】
情報処理装置１側の入力処理は、図３に示すように、ＣＰＵ１１−１において、入力検出部５１と、情報生成部５２と、記憶制御部５３と、通信制御部５４と、出力制御部５５と、入力対象判定部５６と、入力処理部５７と、が機能する。
【００２４】
また、記憶部１９−１の一領域には、入力処理情報記憶部７１が設定される。
入力処理情報記憶部７１には、入力先の情報や入力の対象となる情報（以下、「入力対象情報」という。）の記憶先や問い合わせの番号情報等の入力処理に必要な情報や入力対象情報の取得に必要な情報が記憶される。
【００２５】
ここで、入力システムＳで用いられる情報について説明する。入力システムＳでは、入力に係る情報は、管理アプリケーションで管理されているものとする。
図４は、入力システムＳで用いられる情報を説明するための図である。
【００２６】
入力システムで用いられる情報は、情報処理装置１側で記憶される情報と、後に詳述するリスト端末２で記憶される情報とがある。
【００２７】
情報処理装置１側で記憶される情報は、図４（ａ）に示すように、「入力先番号」と、「入力先」と、「記憶先」と、「問い合わせ番号」と、がある。
「入力先番号」は、情報を記憶する際に自動的に付される番号である。
「入力先」は、入力先の情報であり、ｗｅｂサイトの場合には、ＵＲＬとなり、アプリケーションの場合には、アプリケーションの利用場所となる。
「記憶先」は、入力対象情報が記憶されている場所である。本例では、リスト端末２［ペアリング１］が記憶先であり、その他に情報処理装置１の記憶部１９［本体］と、情報処理装置１のドライブ２１を介して装着されるリムーバブルメディア３１［メモリカード］とがある。
「問い合わせ番号」は、「記憶先」において入力対象情報の取得の問い合わせをする際の識別符号として用いる番号である。本例では、各種記憶先に対応して、それぞれの問い合わせ番号が記憶されている。
入力システムＳでは、情報処理装置１では、「問い合わせ番号」で入力対象情報の管理をしているために、情報処理装置１のみでは入力対象情報を知ることができない。
【００２８】
これに対して、リスト端末２側で記憶される情報は、図４（ｂ）に示すように、「問い合わせ番号」と、「入力対象情報１」乃至「入力対象情報ｎ」と、がある。
「問い合わせ番号」は、外部機器から入力対象情報の問い合わせをされた際に用いる番号である。「問い合わせ番号」は、外部機器から入力対象情報の登録があった際に自動生成される。
「入力対象情報」は、入力を行う際に入力対象となるセキュアの情報であり、ｗｅｂサイトやファイル等の入力先のセットで管理されている。本例では、ＩＤやパスワードの他に、個人情報入力用の名前や住所等も入力対象情報として扱われる。
リスト端末２では、「問い合わせ番号」と「入力対象情報」のみを記憶することで、リスト端末２単体では「入力対象情報」が直接的に何に利用される情報なのかを知ることができない。
【００２９】
図３に戻り、入力検出部５１は、情報の入力を検出する。例えば、入力検出部５１は、ｗｅｂサイト閲覧中において、ＩＤ及びパスワード等の情報の入力を検出したり、入力された情報を入力対象情報とするか否かを判定する情報を検出したりする。
【００３０】
情報生成部５２は、入力に必要な入力に関係する情報（以下、「入力関係情報」ともいう。）を生成する。入力に必要な入力に関係する情報は、上述した問い合わせ情報や、入力対象情報等を含む入力情報である。
具体的には、情報生成部５２は、情報処理装置１の記憶用に、入力対象情報の問い合わせと、入力先や入力対象情報の記憶先を項目とする情報を生成する。また、情報生成部５２は、リスト端末２の記憶用に、入力対象情報を入力先に応じて入力セット毎に生成する。
【００３１】
記憶制御部５３は、情報を記憶するように記憶部１９を制御する。詳細には、記憶制御部５３は、情報処理装置１の記憶用に、入力対象情報の入力先・記憶先を項目とする情報を入力処理情報記憶部７１に記憶させるように記憶部１９を制御する。その結果、記憶制御部５３は、図４（ａ）に示すような情報を問い合わせ情報記憶部１１１に記憶させる。
【００３２】
通信制御部５４は、情報を他装置に入出力するよう通信部２０を制御する。詳細には、通信制御部５４は、リスト端末２の記憶用に、入力情報の対象となった情報を情報１乃至ｎの項目とするデータをリスト端末２に出力するように通信部２０を制御する。
また、通信制御部５４は、リスト端末２から問い合わせ番号を取得する。
また、通信制御部５４は、リスト端末２に対して、入力情報を問い合わせ、問い合わせに応じて入力情報を取得する。
【００３３】
出力制御部５５は、ｗｅｂサイトやファイル等を閲覧可能に表示出力するように出力部１８を制御する。
【００３４】
入力対象判定部５６は、閲覧しているｗｅｂサイト等の入力の対象となっているか否かを判定する。詳細には、入力対象判定部５６は、入力処理情報記憶部７１に記憶される入力先と照合して判定を行う。
【００３５】
入力処理部５７は、入力処理を実行する。詳細には、入力処理部５７は、入力処理として、リスト端末２から取得した入力情報を入力の対象（例えば、ｗｅｂサイトやファイル）に入力する。
【００３６】
リスト端末２側の入力処理は、図３に示すように、ＣＰＵ１１−２において、通信制御部９１と、記憶制御部９２と、が機能する。
【００３７】
また、記憶部１９−２の一領域には、問い合わせ情報記憶部１１１が設定される。
問い合わせ情報記憶部１１１には、図４（ｂ）に示すような問い合わせ番号に対応付けられた入力対象情報が記憶される。
【００３８】
通信制御部９１は、他装置から情報を入出力するように通信部２０−２を制御する。詳細には、通信制御部９１は、入力情報の登録要請を判定する。また、通信制御部９１は、問い合わせ番号を情報処理装置１に出力するように通信部２０を制御する。また、通信制御部９１は、入力情報の問い合わせがあるか否かを判定する。また、通信制御部９１は、問い合わせ番号に対応する入力情報を情報処理装置１に出力させるように通信部２０を制御する。
【００３９】
記憶制御部９２は、入力対象情報を記憶させる。詳細には、記憶制御部９２は、入力対象情報を記憶するように問い合わせ情報記憶部１１１を制御する。その際、記憶制御部９２は、入力先に応じて、問い合わせ番号を発行する。その結果、記憶制御部９２は、図４（ｂ）に示すような情報を問い合わせ情報記憶部１１１に記憶させる。
【００４０】
図５は、図３の機能的構成を有する図２の情報処理装置１が実行する入力処理の流れを説明するフローチャートである。本例では、ｗｅｂサイトの閲覧中にＩＤ及びパスワードを入力し、ＩＤ及びパスワードを入力情報として以降利用する例について説明する。
入力処理は、ユーザによる入力部１７への入力処理の操作により開始される。
【００４１】
ステップＳ１１において、入力検出部５１は、ｗｅｂサイト閲覧中において、ＩＤ及びパスワード等の情報の入力を検出する。
【００４２】
ステップＳ１２において、入力検出部５１は、入力された情報を入力情報とするか否かを判定する。入力情報とする場合には、入力情報とする旨の操作を検出する。
入力情報としない場合には、ステップＳ１２においてＮＯと判定されて、入力処理は終了する。
入力情報とする場合には、ステップＳ１２においてＹＥＳと判定されて、処理はステップＳ１３に進む。
【００４３】
ステップＳ１３において、情報生成部５２は、入力関係情報を生成する。具体的には、情報生成部５２は、情報処理装置１の記憶用に、入力対象情報の問い合わせと、入力先や入力対象情報の記憶先を項目とする情報を生成する。また、情報生成部５２は、リスト端末２の記憶用に、入力対象情報を入力先に応じて入力セット毎に生成する。
【００４４】
ステップＳ１４において、記憶制御部５３及び通信制御部５４は、入力関係情報を登録する。即ち、記憶制御部５３は、情報処理装置１の記憶用に、入力情報の対象となった情報に対して、図４（ａ）に示すような入力先・記憶先を項目とする情報を入力処理情報記憶部７１に記憶させる。また、通信制御部５４は、リスト端末２の記憶用に、入力対象情報を入力先に応じて入力セット毎にリスト端末２に出力する。
【００４５】
ステップＳ１５において、通信制御部５４は、問い合わせ番号を取得する。即ち、通信制御部５４は、出力した入力対象情報に対応する問い合わせ番号をリスト端末２から取得する。
【００４６】
ステップＳ１６において、出力制御部５５は、ｗｅｂサイトを閲覧用に出力するように出力部１８−１を制御する。
【００４７】
ステップＳ１７において、入力対象判定部５６は、閲覧しているｗｅｂサイトが入力の対象となっているサイトか否かを判定する。詳細には、入力対象判定部５６は、入力処理情報記憶部７１に記憶される入力先と照合して判定を行う。
入力の対象でない場合には、ステップＳ１７においてＮＯと判定されて、入力処理は終了する。
入力の対象である場合には、ステップＳ１７においてＹＥＳと判定されて、処理はステップＳ１８に進む。
【００４８】
ステップＳ１８において、通信制御部５４は、入力対象情報の問い合わせを行う。詳細には、通信制御部５４は、入力処理情報記憶部７１に記憶される入力先に対応する問い合わせ番号で、リスト端末２に対して問い合わせを行う。問い合わせの結果、通信制御部５４は、リスト端末２から入力対象情報を取得する。
【００４９】
ステップＳ１９において、入力処理部５７は、入力処理を実行する。詳細には、入力処理部５７は、入力処理として、リスト端末２から取得した入力対象情報を入力先（例えば、ｗｅｂサイト）に入力する。ユーザは、入力された情報（ＩＤ及びパスワード）でログインすることができる。
【００５０】
図６は、図３の機能的構成を有する図２のリスト端末２が実行する入力処理の流れを説明するフローチャートである。
【００５１】
ステップＳ４１において、通信制御部９１は、入力対象情報の登録要請があったか否かを判定する。
入力対象情報の登録要請がない場合には、ステップＳ４１においてＮＯと判定されて、入力処理を終了する。
入力対象情報の登録要請があった場合には、ステップＳ４１においてＹＥＳと判定されて、処理はステップＳ４２に進む。
【００５２】
ステップＳ４２において、記憶制御部９２は、入力情報を記憶させる。詳細には、記憶制御部９２は、入力対象情報を記憶するように問い合わせ情報記憶部１１１を制御する。その際、記憶制御部９２は、入力先に応じて、問い合わせ番号を発行する。その結果、記憶制御部９２は、図４（ｂ）に示すような情報を問い合わせ情報記憶部１１１に記憶させる。
【００５３】
ステップＳ４３において、通信制御部９１は、問い合わせ番号を情報処理装置１に出力させる。詳細には、通信制御部９１は、問い合わせ番号を情報処理装置１に出力するように通信部２０を制御する。なお、ここでリスト端末２は、問い合わせがあった情報処理装置１がペアリングされているか否かを判断し、ペアリングされていると判断した場合のみ、入力対象情報を出力するようにしてもよい。
【００５４】
ステップＳ４４において、通信制御部９１は、入力対象情報の問い合わせがあるか否かを判定する。
入力対象情報の問い合わせがない場合には、ステップＳ４４においてＮＯと判定されて、入力処理は終了する。
入力対象情報の問い合わせがあった場合には、ステップＳ４４においてＹＥＳと判定されて、処理はステップＳ４５に進む。
【００５５】
ステップＳ４５において、通信制御部９１は、問い合わせ番号に対応する入力対象情報を出力させる。即ち、通信制御部９１は、問い合わせ番号に対応する入力対象情報を情報処理装置１に出力させるように通信部２０を制御する。
【００５６】
このように入力システムＳを構成することにより、情報処理装置１やリスト端末２を置き忘れても、それぞれの機器を保有していなければ、セキュリティを容易に破られることがない。このため、入力情報の管理アプリケーションやクラウドサービス等により、自動でパスワードや個人情報等の秘匿性の高い秘密情報を入力情報がフォームに入力されたりすることも確実に防ぐことができる。
また、リスト端末２は、腕に装着しているため、情報処理装置１を操作しているだけで、ユーザは入力操作を行わずに、ＩＤやパスワード等の情報を自動的に入力することができる。
また、情報処理装置１とリスト端末２とは近距離通信でやり取りを行っているために、機器のシリアル番号やＭＡＣ（Ｍｅｄｉａ  Ａｃｃｅｓｓ  Ｃｏｎｔｒｏｌ  ａｄｄｒｅｓｓ）番号等のハードウェアのセキュリティコード等で暗号化や電子署名ができるために、インターネットやモバイル網等に接続している機器よりもハッキング等のリスクを低く抑えることができる。
また、必要な入力情報に関する情報のみをやり取りするために、全ての情報を一元的に管理している場合に比べて、ハッキング等のリスクを低く抑えることができる。
【００５７】
以上のように構成される入力処理システムＳは、情報処理装置１と、情報処理装置１の外部装置であるリスト端末２からなる。リスト端末２は、入力処理情報と、当該入力処理情報の識別情報とを対応付けて記憶する問い合わせ情報記憶部１１１と、情報処理装置から識別情報を受信し、受信した識別情報に対応付けて記憶されている入力処理情報を情報処理装置１に送信する通信部２０−２と、を備える。情報処理装置１は、入力処理情報の識別情報を記憶する入力処理情報記憶部７１と、情報記憶装置に、識別情報を送信し、送信された入力処理情報を受信する通信部２０−１と、を備える。
これにより、情報処理装置１は、入力対象情報を直接的に扱うことがなく、外部機器で管理するために、セキュリティが向上する。
【００５８】
また、通信部２０−２は、入力処理情報を送信する情報処理装置１がペアリングされているか否かを判断し、ペアリングされていると判断された場合に、入力処理情報を送信する。
このため、情報処理装置１は、セキュリティレベルが高い機器とやり取りを行うこととなる。
【００５９】
情報処理装置１は、通信部２０−１受信した入力処理情報に基づいて、入力処理を実行する入力処理部５７を更に備える。
これにより、情報処理装置１は、自動的に入力処理情報の入力を実行することができる。
【００６０】
また、入力システムＳにおいては、近距離通信を行うリスト端末２を用いる。
このため、入力システムＳにおいては、腕に装着しているため、情報処理装置１を操作しているだけで、ユーザは入力操作を行わずに、ＩＤやパスワード等の情報を自動的に入力することができる。また、例えば、リスト端末２が盗まれて、情報処理装置１の近距離にない場合には、機能することがない。
【００６１】
通信制御部５４は、例えば、ｗｅｂサイトのログインに必要なＩＤやパスワード等のセキュアな情報を入力対象情報としてリスト端末２に登録する。
これにより、情報処理装置１は、入力対象情報を直接的に扱うことがなく、外部機器で管理するために、セキュリティが向上する。
【００６２】
なお、本発明は、上述の実施形態に限定されるものではなく、本発明の目的を達成できる範囲での変形、改良等は本発明に含まれるものである。
【００６３】
上述の実施形態では、過去に入力した情報を、自動的に入力を行うように構成したがこれに限られず、例えば、過去に入力した情報の候補を表示するようにして、ユーザに選択で入力するように構成してもよい。
【００６４】
また、上述の実施形態では、本発明が適用される入力システムＳにおいて情報処理装置１及びリスト端末２は、スマートフォン及び時計装置を例として説明したが、特にこれに限定されない。
例えば、本発明は、入力処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６５】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が情報処理装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【００６６】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６７】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（ブルーレイディスク）（登録商標）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【００６８】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００６９】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７０】
以下に、本願の出願当初の特許請求の範囲に記載された発明を付記する。
［付記１］
情報記憶装置と情報処理装置からなる入力処理システムであって、
前記情報記憶装置は、
入力処理用の情報と、当該入力処理用の情報の識別情報とを対応付けて記憶する入力情報記憶手段と、
前記情報処理装置から前記識別情報を受信する識別情報受信手段と、
前記識別情報受信手段により受信した識別情報に対応付けて記憶されている入力処理用の情報を前記情報処理装置に送信する情報送信手段と、
を備え、
前記情報処理装置は、
前記入力処理用の情報の識別情報を記憶する識別符号記憶手段と、
前記情報記憶装置に、前記識別情報を送信する識別情報送信手段と、
前記情報送信手段によって送信された前記入力処理用の情報を受信する情報受信手段と
を備える入力処理システム。
［付記２］
前記情報記憶装置は、
前記入力処理用の情報を送信する情報処理装置がペアリングされているか否かを判断する判断手段を更に備え、
前記情報送信手段は、前記判断手段によってペアリングされていると判断された場合に、前記入力処理用の情報を送信する付記１に記載の入力処理システム。
［付記３］
前記情報処理装置は、
前記情報受信手段によって受信した前記入力処理用の情報に基づいて、入力処理を実行する入力手段を更に備える付記１又は２に記載の入力処理システム。
［付記４］
入力処理用の情報と、当該入力処理用の情報の識別情報とを対応付けて記憶する入力情報記憶手段と、
外部装置から前記識別情報を受信する識別情報受信手段と、
前記識別情報受信手段により受信した識別情報に対応付けて記憶されている入力処理用の情報を前記外部装置に送信する情報送信手段と、
を備えた情報記憶装置。
［付記５］
外部装置に記憶されている入力処理用の情報を識別するための識別情報を記憶する識別符号記憶手段と、
前記外部装置に、前記識別情報を送信する識別情報送信手段と、
前記外部装置から送信された前記入力処理用の情報を受信する情報受信手段と、
を備えた情報処理装置。
［付記６］
入力処理用の情報と、当該入力処理用の情報の識別情報とを対応付けて記憶する入力情報記憶手段と、を備えた情報記憶装置と、前記入力処理用の情報の識別情報を記憶する識別情報記憶手段を備えた情報処理装置と、によって実行される入力方法であって、
前記情報処理装置が、前記情報記憶装置に前記識別情報を送信するステップと、
前記情報記憶装置が、送信された識別情報に対応する前記入力処理用の情報を前記情報処理装置に出力するステップと、
を含む入力方法。
【符号の説明】
【００７１】
１・・・情報処理装置，２・・・リスト端末，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・入力検出部，５２・・・情報生成部，５３・・・記憶制御部，５４・・・通信制御部５４・・・出力制御部，５６・・・入力対象判定部，５７・・・入力処理部，７１・・・入力処理情報記憶部，９１・・・通信制御部９１・・・記憶制御部，１１１・・・問い合わせ情報記憶部，Ｓ・・・入力処理システム
【図１】
2015060556.tif 000003
【図２】
2015060556.tif 000004
【図３】
2015060556.tif 000005
【図４】
2015060556.tif 000006
【図５】
2015060556.tif 000007
【図６】
2015060556.tif 000008